(57)【要約】【課題】  複数のパーツを組み合わせてなる装飾リングでありながら、これまでにない新規でおしゃれな装飾リングを提供することにある。【解決手段】  装飾リング１０は、間隙を設けて相対する一対のリング２１，２１からなるダブルリング状のダブルパーツ２０に、その間隙に着脱自在に差し込まれるシングルリング状のシングルパーツ３０を装着させたものである。この装飾リング１０のリング体１１にハート型の穿孔１２，１２，１２が形成されており、ここにアクセサリーなど他の飾飾部材を取り付けることができる。【選択図】  図１
2006087750.tif 000002
【特許請求の範囲】
【請求項１】
間隙を設けて相対する一対のリングからなるダブルリング状のダブルパーツと、
その間隙に着脱自在に差し込まれるシングルリング状のシングルパーツとを備えた装飾リング。
【請求項２】
ダブルパーツには、間隙を設けて相対する一対のリングを支持するための複数のピン材を設け、
シングルパーツには欠円部を設け、その欠円部にダブルパーツのピン材を通し、ダブルパーツの間隙に着脱自在に差し込まれることを可能にした請求項１記載の装飾リング。
【請求項３】
ピン材は、ダブルパーツのリングにおいて少なくとも左右対称な位置に、シングルパーツの内径よりも若干広く幅をもって設けられ、
シングルパーツは、そのピン材を嵌合する切欠部をその内周に有して、クリック感をもってダブルパーツにシングルパーツを装着固定する請求項１又は２記載の装飾リング。
【請求項４】
ダブルパーツの一対のリングの外周および／またはシングルパーツの内周に凹部を有し、ダブルパーツにシングルパーツを装着したリング体に穿孔を形成する請求項１，２又は３記載の装飾リング。
【請求項５】
リング体の穿孔に他の飾飾部材を取り付けた請求項４記載の装飾リング。
【発明の詳細な説明】
【技術分野】
【０００１】
本発明は、指輪や腕輪など装飾品として用いられる装飾リングに関するものである。
【背景技術】
【０００２】
これまでに装飾リングには様々な種類・形状のものが創作され、販売されてきた。その中で、複数のパーツを組み合わせてなる装飾リングとしては、例えば、特許文献１〜３に記載されたものなどがある。図６に示すものが特許文献１に記載された装飾リングであり、図７に示すものが特許文献２に記載された装飾リングであり、図８に示すものが特許文献３に記載された装飾リングである。
【０００３】
【特許文献１】特開平７−１５５２１４号公報
【特許文献２】実用新案登録第３０４１１７８号公報
【特許文献３】実用新案登録第３０７３５８４号公報
【発明の開示】
【発明が解決しようとする課題】
【０００４】
これに対して、本発明者は、上記のような複数のパーツを組み合わせてなる装飾リングでありながら、これまでにない新規でおしゃれな装飾リングを創作し提供することを課題とし、本件発明をするに至った。
【課題を解決するための手段】
【０００５】
本発明の第一の発明は、間隙を設けて相対する一対のリングからなるダブルリング状のダブルパーツと、その間隙に着脱自在に差し込まれるシングルリング状のシングルパーツとを備えたことを特徴とする装飾リングである。
第二の発明は、ダブルパーツには、間隙を設けて相対する一対のリングを支持するための複数のピン材を設け、シングルパーツには欠円部を設け、その欠円部にダブルパーツのピン材を通し、ダブルパーツの間隙に着脱自在に差し込まれることを可能にしたことを特徴とする。
第三の発明は、ピン材が、ダブルパーツのリングにおいて少なくとも左右対称な位置に、シングルパーツの内径よりも若干広く幅をもって設けられ、シングルパーツが、そのピン材を嵌合する切欠部をその内周に有して、クリック感をもってダブルパーツにシングルパーツを装着固定することを特徴とする。
第四の発明は、ダブルパーツの一対のリングの外周および／またはシングルパーツの内周に凹部を有し、ダブルパーツにシングルパーツを装着したリング体に穿孔を形成することを特徴とする。
第五の発明は、リング体の穿孔に他の飾飾部材を取り付けたことを特徴とする。
【発明の効果】
【０００６】
本発明によれば、以下のような効果を有する。
（１）従来にない新規な構造で、ファッション性に優れた装飾リングを提供できる。とくにリング体に形成された穿孔に他の飾飾部材を取り付けることは、これまでの装飾リングにない発想で、優れたデザインであるといえる。
（２）また、シングルパーツあるいはダブルパーツを取り替えることができるので、パーツの色や形状を替えたりして、個人個人でおしゃれを楽しむことができる。
（３）クリック感をもってダブルパーツにシングルパーツを装着固定されるので、ダブルパーツにシングルパーツを差し込んで装着できたことが容易に認識できるとともに、その作業が心地よいものとなる。また、装着固定されるので、この装飾リングを指から外した場合でも、ダブルパーツとシングルパーツが容易に分離せず、装飾リングとしての形態を維持できる。
【発明を実施するための最良の形態】
【０００７】
本発明の実施形態を図面に基づいて説明する。
図１は、本発明の装飾リング１０を正面から見た正面図であり、図２は、装飾リング１０を上から見た平面図である。図１および図２に示すように、装飾リング１０は、間隙を設けて相対する一対のリング２１，２１からなるダブルリング状のダブルパーツ２０に、その間隙に着脱自在に差し込まれるシングルリング状のシングルパーツ３０を装着させたものである。
【０００８】
図３は、図２のＢ−Ｂ断面図であり、図４は、図２のＣ−Ｃ断面図である。図４に示すように、ダブルパーツ２０のリング２１は、上方に２箇所対称な位置にピン材２５，２５を設け、下方に１箇所ピン材２６を設ける。このピン材２５，２５，２６によって、ダブルパーツ２０は間隙を設けて相対する一対のリング２１，２１を支持している。
【０００９】
図３に示すように、シングルパーツ３０は、その上方内周にある切欠部３２，３２にピン材２５，２５を、その下方にある欠円部３４にピン材２６をそれぞれ嵌合するようにして装着固定される。なお、シングルパーツ３０の着脱方法については、図５で詳細に説明する。
【００１０】
装飾リング１０は、図１に示すように、ダブルパーツ２０のリング２１，２１の外周２２に有する凹部２３，２３，２３、およびシングルパーツ３０の内周３１に有する凹部３６，３６，３６によって、リング体１１にハート型の穿孔１２，１２，１２を形成する。このハート型の穿孔１２，１２，１２は、装飾リング１０にとって特徴的な部分となる。また、図示省略するが、このハート型の穿孔１２，１２，１２にアクセサリーなど他の飾飾部材（「チャーム」という）を取り付けることができる。これは、これまでの装飾リングにない発想で、優れたデザインであるといえる。なお、この穿孔１２は、ハート型に限らず、凹部２３と凹部３６の形状およびその組み合わせ方によって、様々な形のものに形成できる。
【００１１】
図５−１から図５−４は、シングルパーツ３０の着脱方法について説明した説明図である。
まず、図５−１に示すように、シングルパーツ３０を右９０度回転させ、欠円部３４がダブルパーツ２０のピン材２５，２５に対して延長線上になるように位置させる。
次に、図５−２に示すように、この欠円部３４にピン材２５，２５を通す。
そして、図５−３に示すように、シングルパーツ３０を左９０度回転させ、欠円部３４がダブルパーツ２０のピン材２６に対して真上になるように位置させる。
最後に、図５−４に示すように、この欠円部３４にピン材２６を通すことで、シングルパーツ３０がダブルパーツ２０に装着される。
また、シングルパーツ３０をダブルパーツ２０から抜き出す場合は、これと逆の動作をすればよい。
【００１２】
ここで、ダブルパーツ２０のピン材２５，２５は、左右対称な位置に、シングルパーツ３０の内径よりも若干広く幅をもって設けられている。このため、シングルパーツ３０をダブルパーツ２０に差し込んだ場合に、図５−３に示すように、ピン材２５，２５がシングルパーツ３０の内周３１に摺接しつつその内径を押し広げながら、図５−４に示すように、ピン材２５，２５がシングルパーツ３０の切欠部３２，３２に嵌合し、カチッというクリック感を生じさせて装着固定する。
【産業上の利用可能性】
【００１３】
本発明は、指輪や腕輪など装飾品としてあるいは装飾品の一部分として用いられる装飾リングに幅広く利用できるものである。
【図面の簡単な説明】
【００１４】
【図１】本発明の装飾リングの正面図。
【図２】本発明の装飾リングの平面図。
【図３】図２のＢ−Ｂ断面図。
【図４】図２のＣ−Ｃ断面図。
【図５−１】シングルパーツの着脱方法について説明した説明図。
【図５−２】シングルパーツの着脱方法について説明した説明図。
【図５−３】シングルパーツの着脱方法について説明した説明図。
【図５−４】シングルパーツの着脱方法について説明した説明図。
【図６】特許文献１に記載の装飾リングを示す説明図。
【図７】特許文献２に記載の装飾リングを示す説明図。
【図８】特許文献３に記載の装飾リングを示す説明図。
【符号の説明】
【００１５】
１０  装飾リング    １１  リング体    １２  穿孔
２０  ダブルパーツ    ２１  リング    ２２  外周    ２３  凹部    ２５  ピン材
２６  ピン材
３０  シングルパーツ    ３１  内周    ３２  切欠部    ３４  欠円部
３６  凹部
【図１】
2006087750.tif 000003
【図２】
2006087750.tif 000004
【図３】
2006087750.tif 000005
【図４】
2006087750.tif 000006
【図５−１】
2006087750.tif 000007
【図５−２】
2006087750.tif 000008
【図５−３】
2006087750.tif 000009
【図５−４】
2006087750.tif 000010
【図６】
2006087750.tif 000011
【図７】
2006087750.tif 000012
【図８】
2006087750.tif 000013